(57)【要約】      （修正有）【課題】  データ経路プロテクション機能を与えるＬＡＮサービスポート間のＬＡＮ接続を提供するＳＯＮＥＴを実現するブリッジを提供する。【解決手段】  ＬＡＮサービスポート（ＬＳＰ）の各々を、別々のイーサースイッチの２つのスイッチポート（ＥＳＰ）に接続し、ＬＳＰ及び２つのＥＳＰより成る３ポートＬＡＮブリッジを構成。ブリッジは冗長的であり、各ＬＳＰは、別々のＳＯＮＥＴ接続により、別のイーサーネット（登録商標）スイッチのＥＳＰに接続される。ＬＡＮブリッジは冗長的であるので、２つのイーサーネットスイッチは、２つの冗長的な経路に関する接続を与えるように当初は利用可能である。イーサーネットスイッチは、１つのスイッチのみをアクティブにし、そしてＬＡＮブリッジにより作成された冗長経路の１つをディセーブルにするために、スパニングツリープロトコルを利用する。【選択図】  図２
2005198299.tif 000002
【特許請求の範囲】
【請求項１】
ネットワーク接続用のブリッジであって、
第１及び第２のイーサーネットスイッチに関連する２つのイーサーネットスイッチポート；及び
ユーザポート及び２つのイーサーネットスイッチポートの間で、実現される第１及び第２のデータ経路を有する第１のＬＡＮサービスポート；
を備え、前記イーサーネットスイッチポート間で伝送されるトラフィックは、前記イーサーネットスイッチポート及び前記第１のＬＡＮサービスポートの間で伝送される
ことを特徴とするブリッジ。
【請求項２】
前記第１のイーサーネットスイッチが、前記第１のＬＡＮサービスポートと、前記第１及び第２のイーサーネットスイッチに接続された第２のＬＡＮサービスポートとの間でデータを伝送する
ことを特徴とする請求項１記載のブリッジ。
【請求項３】
第１のデータ経路の不具合がスパニングツリープロトコルを起動させ、前記第１のイーサーネットスイッチが、前記第１のＬＡＮサービスポート及び前記第２のＬＡＮサービスポート間でデータを伝送することを防ぎ、前記第２のイーサーネットスイッチが、前記第１のＬＡＮサービスポート及び前記第２のＬＡＮサービスポートの間のデータ伝送をイネーブルにする
ことを特徴とする請求項２記載のブリッジ。
【請求項４】
少なくとも３ポートを有する第１のＬＡＮサービスポートを設け；
別個の第１及び第２のイーサーネットスイッチに関する２つのイーサーネットスイッチポートを設け；
ユーザポート及び２つのイーサーネットスイッチポートの間で双方向トラフィックを伝送するために、ＬＡＮサービスポートを、第１及び第２のネットワーク経路を介して２つのイーサーネットスイッチポートに及びユーザポートに接続し；
第１及び第２のネットワーク経路でイーサーネットスイッチポート間でトラフィックを伝送する；
ことを特徴とする方法。
【請求項５】
前記第１のイーサーネットスイッチが、前記第１のＬＡＮサービスポートと、前記第１及び第２のイーサーネットスイッチに接続された第２のＬＡＮサービスポートとの間でデータを伝送する
ことを特徴とする請求項４記載の方法。
【発明の詳細な説明】
【技術分野】
【０００１】
本発明は、同期光ネットワーク（ＳＯＮＥＴ：ｓｙｎｃｈｒｏｎｏｕｓ  ｏｐｔｉｃａｌ  ｎｅｔｗｏｒｋｓ）等のネットワークに関し、特にＳＯＮＥＴネットワーク等でのローカルエリアネットワークサービス用の双方向スイッチを利用してスパニングツリーを保護するシステム及び方法に関する。
【背景技術】
【０００２】
光ネットワークは、電気通信業界での情報伝送の標準的技術になりつつある。多くの異なる光ネットワーク規格が規定され、それらの各々は様々な用途で利点及び欠点を有する。同期光ネットワーク（ＳＯＮＥＴ）は、光通信に関する１つの規格である。ＳＯＮＥＴは、少なくとも今後２０〜３０年の間に世界的な通信用の伝送インフラストラクチャを与えることが期待されている。ＳＯＮＥＴの柔軟な構築可能性及び帯域利用性の増進は、旧式の電気通信システムを上回る利点を与え、その利点は、装置における条件の少ないこと、ネットワークの信頼性が増えること、様々なフォーマットで信号を伝送できること、異なるベンダによる製品を接続可能にする一群の一般的規格、及び様々な伝送レートの将来的なアプリケーションを収容可能なフレキシブルなアーキテクチャのようなものである。ＳＯＮＥＴは、長距離通信、大都市内通信及び伝送アプリケーションへのアクセスに使用されることが間々ある。大都市地域でのアクセスネットワークは、大容量同期光ネットワーク（ＳＯＮＥＴ）リング、光Ｔ３回線及び銅線のＴｌｓを含むことが間々ある。
【０００３】
ＳＯＮＥＴの１つの用途は、ＳＯＮＥＴによるＧＦＰ／ＡＴＭを用いるローカルエリアネットワーク（ＬＡＮ）接続を提供し、ＬＡＮパケットをフレーム及びセルとしてネットワークで伝送することである。総てのポート間で完全なＬＡＮ接続を与えるには、静的に用意される回路を実現する場合に、ネットワーク内の各ＬＡＮポートの間に少なくとも１つのデータ回路を準備する必要がある。ネットワークに加えられる新たなＬＡＮの各々は、ネットワークのノード毎の供給を要する。ネットワーク内の総てのＬＡＮポートにＬＡＮパケットをブロードキャストするのではなく、それらの宛先ＬＡＮポートに、１対１（ポイントトゥポイント）データ回路でＬＡＮパケットを方向付けることを学習する広域ネットワーク（ＷＡＮ）側ソースアドレスを利用することは、ネットワーク帯域を効率的に利用させる。また、この手法は、ＳＯＮＥＴ  ＵＰＳＲを用いるデータ経路プロテクション機能をいくらか与えるかもしれない。しかしながら、この手法は、同一ネットワーク上の多数のＬＡＮポートに直接的には拡張可能ではない。なぜなら、１つのＬＡＮブリッジポートに接続可能な他のＬＡＮブリッジ数が制限されているからである。例えば、その制限は１０より少ないかもしれない。
【０００４】
この制限は、他のＬＡＮブリッジネットワーク上の同様なポートを相互接続するためのＬＡＮブリッジネットワークの１つのＬＡＮ側イーサーネット（登録商標）ポートを用いることで回避できるかもしれない。しかしながら、この回避法は、２つのＬＡＮブリッジネットワーク間を横切るデータパケットのトラフィック渋滞を招くおそれがある。
【発明の開示】
【発明が解決しようとする課題】
【０００５】
従って、データ経路プロテクションを与えるＬＡＮサービスポート間のＬＡＮ接続を提供するＳＯＮＥＴ等のネットワークを実現する技術が望まれている。更に、ＬＡＮサービスポート間のＬＡＮ接続を提供するＳＯＮＥＴ等のネットワークを実現する技術であって、ネットワーク帯域を効率的に利用させ、ネットワーク内の全ノードに付加的な設備を要求せずに、拡張可能な形式で新たなＬＡＮポートのネットワークへの追加機能を提供する技術が望まれている。
【課題を解決するための手段】
【０００６】
本発明によれば、ＬＡＮブリッジ接続法を使用して、ＬＡＮサービスポート（ＬＳＰ）の各々を、別々のイーサースイッチの２つのスイッチポート（ＥＳＰ）に接続する。この手法で重要なユニットは、ＬＳＰ及び２つのＥＳＰより成る３ポートＬＡＮブリッジである。この構造は、ネットワーク内の各ＬＳＰで反復される。ブリッジは冗長的であり、各ＬＳＰは、別々のネットワーク（ＳＯＮＥＴ等）との接続により、別のイーサーネット（登録商標）スイッチのＥＳＰに接続される。
【０００７】
従って、あるＬＳＰから別のものへのＬＡＮデータパケットの典型的な経路は、ＬＳＰ、ＥＳＰ、イーサーネット（登録商標）スイッチ、ＥＳＰそしてＬＳＰに至るものである。しかしながら、ＬＡＮブリッジは冗長的であるので、２つのイーサーネット（登録商標）スイッチは、２つの冗長的な経路に関する接続を与えるように当初は利用可能である。イーサーネット（登録商標）スイッチは、１つのスイッチのみをアクティブにし、そしてＬＡＮブリッジにより作成された冗長経路の１つをディセーブルにするために、スパニングツリープロトコルを利用する。しかしながら、ＬＳＰ及びＥＳＰ間の経路の１つに障害が生じると、そのスパニングツリープロトコルは、他のイーサーネット（登録商標）スイッチをイネーブルにし、冗長経路を動作可能にし、データプロテクション機能を発揮する。
【０００８】
本発明の一態様によれば、ネットワーク（ＳＯＮＥＴ等）との接続ＬＡＮ用のブリッジは、２つのイーサーネットスイッチポート及び第１のＬＡＮサービスポートを含む。イーサーネットスイッチポートは、第１及び第２のイーサーネットスイッチに関連する。ＬＡＮサービスポートは、ユーザポート及び２つのイーサーネットスイッチポートの間で第１及び第２のデータ経路を有する。データ経路は、ネットワーク（ＳＯＮＥＴ）経由の経路により実現され、前記イーサーネットスイッチポート間で伝送される総てのトラフィックは、前記イーサーネットスイッチポート及び前記第１のＬＡＮサービスポートの間でネットワーク（ＳＯＮＥＴ等）との接続により伝送される。第２のＬＡＮサービスポートがＬＡＮの一部をなす場合に、第１及び第２のイーサーネットスイッチは、別々のイーサーネットスイッチを介して第２のＬＡＮサービスポートに接続される。第１のデータ経路がアクティブである場合に、第１のデータ経路の不具合は、スパニングツリープロトコルを起動させ、前記第１のイーサーネットスイッチが、前記第１のＬＡＮサービスポート及び前記第２のＬＡＮサービスポート間でデータを伝送することを防ぎ、前記第２のイーサーネットスイッチが、前記第１のＬＡＮサービスポート及び前記第２のＬＡＮサービスポートの間のデータ伝送をイネーブルにする。
【０００９】
本発明の他の態様によれば、例えばＳＯＮＥＴネットワークとの接続を有するＬＡＮを構築する方法は、少なくとも３ポートを有する第１のＬＡＮサービスポートを設ける。別個の第１及び第２のイーサーネットスイッチに関する２つのイーサーネットスイッチポートが設けられる。ＬＡＮサービスポートは、ユーザポート及び２つのイーサーネットスイッチポートの間で双方向トラフィックを伝送するために、例えば第１及び第２のＳＯＮＥＴネットワーク経由の経路を介して２つのイーサーネットスイッチポートに及びユーザポートに接続しされる。このコンフィギュレーションでは、本方法は、第１及び第２のＳＯＮＥＴネットワーク経由の経路でイーサーネットスイッチポート間で総てのトラフィックを伝送することを含む。本方法によれば、ＳＯＮＥＴ経路の１つの不具合は、イーサーネットスイッチにてスパニングツリープロトコルを起動させ、他のＳＯＮＥＴネットワーク経由の経路を接続することで、それを動作可能にする。
【発明を実施するための最良の形態】
【００１０】
本発明の様々な態様に関する上記の特徴及び有益性は、以下の詳細な説明及び添付図面を参照することで更に充分に理解されるであろう。
【００１１】
本発明によれば、ＬＡＮブリッジ接続法を使用して、ＬＡＮサービスポート（ＬＳＰ）の各々を、別々のイーサーネット（登録商標）スイッチの２つのイーサーネット（登録商標）スイッチポート（ＥＳＰ）に接続する。この手法で重要なユニットは、ＬＳＰ及び２つのＥＳＰより成る３ポートＬＡＮブリッジである。この構造は、ネットワーク内の各ＬＳＰで反復される。ブリッジは冗長的であり、各ＬＳＰは、別々のＳＯＮＥＴ接続により、別のイーサーネット（登録商標）スイッチのＥＳＰに接続される。
【００１２】
従って、あるＬＳＰから別のものへのＬＡＮデータパケットの典型的な経路は、ＬＳＰ、ＥＳＰ、イーサーネット（登録商標）スイッチ、ＥＳＰそしてＬＳＰに至るものである。しかしながら、ＬＡＮブリッジは冗長的であるので、２つのイーサーネット（登録商標）スイッチは、２つの冗長的な経路に関する接続を与えるように当初は利用可能である。イーサーネット（登録商標）スイッチは、１つのスイッチのみをアクティブにし、そしてＬＡＮブリッジにより作成された冗長経路の１つをディセーブルにするために、スパニングツリープロトコルを利用する。しかしながら、ＬＳＰ及びＥＳＰ間の経路の１つに障害が生じると、そのスパニングツリープロトコルは、他のイーサーネット（登録商標）スイッチをイネーブルにし、冗長経路を動作可能にし、データプロテクション機能を発揮する。
【００１３】
［ＳＯＮＥＴ／ＬＡＮシステムの概要］
図１には、本発明が実現されてもよいシステム１００のブロック図が例示されている。システム１００は、広域ネットワーク１０２（ＷＡＮ）、１以上のローカルエリアネットワーク（ＬＡＮ）１０４，１０６及び１以上のＬＡＮ／ＷＡＮインターフェース１０８，１１０を含む。ＬＡＮ１０４，１０６のようなＬＡＮは、比較的小さな領域にわたるコンピュータネットワークである。多くのＬＡＮはワークステーション及びパーソナルコンピュータを接続する。ＬＡＮ内の各ノード（個々のコンピュータ）はそれ自身のＣＰＵを有し、そのＣＰＵはプログラムを実行するが、ＬＡＮ内のいかなる場所でもデータ及び装置にアクセスることもできる。このことは、データに加えてレーザプリンタのような高価な装置を多くのユーザが共有できることを意味する。また、ユーザは、電子メールを送る或いはチャットセッションに参加することによって、互いに通信するようにＬＡＮを使用できる。
【００１４】
パーソナルコンピュータ（ＰＣ）に非常に一般的な多くの様々な形式のＬＡＮやイーサーネット（登録商標）が存在する。多くのアップルマッキントッシュネットワークは、マッキントッシュコンピュータに組み込まれたアップルのアップルトークネットワークシステムに基づいている。
【００１５】
多くのＬＡＮは、１つの建物又は一群の建物に制限される。しかしながら、あるＬＡＮは、ＷＡＮ１０２に含まれるもののような長距離伝送技術により、いかなる距離でもそれを介して他のＬＡＮに接続可能である。ＷＡＮは比較的大きな地理的領域に及ぶコンピュータネットワークである。典型的には、ＷＡＮは図１に示されるような２以上のローカルエリアネットワーク（ＬＡＮ）を含む。広域ネットワークに接続されたコンピュータは、電話システムのような公的ネットワークを通じて接続されることが間々ある。それらは専用回線又は衛星を介しても接続可能である。既存の最大のＷＡＮはインターネットである。
【００１６】
中でも、ＷＡＮ１０２を実現するのに使用されてもよい技術は、同期光ネットワーク（ＳＯＮＥＴ）及び同期ディジタル階層（ＳＤＨ）のような光技術である。ＳＯＮＥＴは、光ファイバ伝送システムを接続するための規格である。ＳＯＮＥＴは、１９８０年代半ばにベルコア（Ｂｅｌｌｃｏｒｅ）により提案され、現在はＡＮＳＩ規格である。ＳＯＮＥＴは、ＯＳＩの７階層モデルにおける物理層でのインターフェース規格を定める。その規格は、異なるレートのデータストリームを多重化可能にするインターフェース速度の階層を定める。ＳＯＮＥＴは、５１．８Ｍｂｐｓ（ほぼＴ−３回線と同じ）から２．４８Ｇｂｐｓまでの光キャリア（ＯＣ：ｏｐｔｉｃａｌ  ｃａｒｒｉｅｒ）レベルを確立する。様々な国々で使用されていた従来の規格は、多重化に関して互換性のないレートを指定していた。ＳＯＮＥＴを実現することで、世界中の通信キャリアは、彼らの既存のディジタルキャリア及び光ファイバシステムを相互接続することができる。
【００１７】
ＳＤＨは、ＳＯＮＥＴの国際的なものに匹敵し、国際電気通信連盟（ＩＴＵ）により標準化された。ＳＤＨは、光ファイバケーブルでの同期データ伝送に関する国際規格である。ＳＤＨは、１５５．５２Ｍｂｐｓの標準伝送速度を規定し、電気レベルでのＳＴＳ−３及びＳＤＨに関するＳＴＭ−１として参照される。ＳＴＭ−１は、ＳＯＮＥＴの光キャリア（ＯＣ）レベル−３に等価である。
【００１８】
ＬＡＮ／ＷＡＮインターフェース１０８，１１０は、ＬＡＮ１０４，１０６のようなＬＡＮ及びＷＡＮ１０２の間で伝送される信号及びデータへの、電気的、光学的、論理的及びフォーマット的な変換機能を与える。
【００１９】
［ＬＡＮブリッジ構造］
図２は、本発明の一実施例による基本的なブリッジ構造を示す。図２を参照するに、ＬＡＮブリッジ構造は、２つの別個のイーサーネット１０を含み、各々はＥＳＰ２０に接続される。ＥＳＰ及びイーサーネットスイッチ間の通信は、好都合ないかなるイーサーネットプロトコルによってもよい。２つのＥＳＰ２０は、ＬＳＰ３０に接続される。ＬＳＰ３０は、５ポート装置であり、ＥＳＰの各々をユーザ４０に接続する双方向ポートを含む。各ＥＳＰでユーザと通信する双方向ポートは、図２にてＢポートとして示されている。更に、ＥＳＰ２０はＡポートを有するように示されており、Ａポートは２つの付加的なＬＳＰポートにより共に接続される。Ａポート間のトラフィック通信は、スパニングツリープロトコルを実現するためのデータを含む。ＥＳＰ及びＬＳＰ間の接続は好ましくはＳＯＮＥＴ経路接続により形成される。例えば、その接続はＳＯＮＥＴ  ＳＴＳ１又はＶＴプロトコルに従って実現されてもよい。
【００２０】
図３Ａは、本発明の一実施例による、イーサーネット（登録商標）スイッチを介する１つの冗長経路を備えたＬＡＮブリッジを示す。図３Ａを参照するに、基本的なＬＡＮブリッジ構造は、２つのＬＳＰ２２０，２２５を組み込むネットワーク例内に示される。各ＬＳＰは２つのＥＳＰに接続される。ＬＳＰ２２０はＥＳＰ２１２，２１６に接続される。ＬＳＰ２２５はＥＳＰ２１０，２１４に接続される。ＬＳＰ２１０，２１２はイーサーネット（登録商標）スイッチ２００に接続され、ＬＳＰ２１４，２１６はイーサーネット（登録商標）スイッチ２０５に接続される。
【００２１】
この形態では、各ＬＳＰは、ＬＳＰ、ＥＳＰ、イーサーネットスイッチ、ＥＳＰ、ＬＳＰをたどる他のＬＳＰへの２つの冗長的な接続を行うことができる。双方の接続を動作可能にするには、イーサーネットスイッチ２００，２０５の双方は、ＥＳＰ２１０，ＥＳＰ２１２，ＥＳＰ２１４，ＥＳＰ２１６の間の接続を行う必要がある。しかしながら、実際には、イーサーネット（登録商標）によってスパニングツリープロトコルが実行され、イーサーネットスイッチ内のこれらの冗長的な接続の１つは切断される。図３Ａでは、イーサーネット２０５内の接続がディセーブルにされ、イーサーネット２００内の接続がイネーブルにされるよう示されている。これは、ネットワーク内の冗長的なメッセージトラフィックを減らす点で有益である。
【００２２】
図３Ｂは、経路障害に起因して、イーサーネット（登録商標）スイッチを介する冗長経路が、スパニングツリープロトコルに従って動作可能になった後のＬＡＮブリッジを示す。図３Ｂは図３Ａと同じネットワーク構成を表すが、図３Ｂを参照すると、ＬＳＰ２２５及びＥＳＰ２１０間の経路に不具合が生じていることが分かる。この場合に、ＥＳＰ２１０及びＬＳＰ２２５のＡ及びＢポートからのメッセージトラフィックは不具合を生じ、ＥＳＰ２１０のＡポートからのトラフィックはもはやＥＳＰ２１４には到達しない。これがスパニングツリープロトコルの契機となり、図示されるように、冗長的な接続が、イーサーネット（登録商標）スイッチ２０５内のＥＳＰ２１４，２１６間でなされるようにする。冗長的な接続は、故障した経路を補償し、ＬＳＰ２２５及びＬＳＰ２２０間でトラフィックを伝送するためのイーサーネット（登録商標）スイッチ２０５による新たな経路を作成する。スパニングツリープロトコルが適切に起動されるように、ＥＳＰからＥＳＰへのトラフィックはＬＳＰを通じて伝送され、ＥＳＰからＬＳＰへの経路が障害を生じたときに、ＥＳＰからＥＳＰへの経路も障害を起こすようにする。
【００２３】
ＬＳＰ及びＥＳＰ間のＬＡＮ接続を実現するためにＳＯＮＥＴリングが使用される場合には、ほぼ総てのＥＳＰが１以上のノードで実現される。ＳＯＮＥＴリングノード毎に一般に複数のＬＳＰが存在する。新たなＬＳＰがネットワークに加わる場合に、その新たなＬＳＰとそのＬＳＰの接続されるＥＳＰとを含むネットワーク要素のみに準備が行われる。これは、ネットワーク要素の各々に対する一群のデータ回路識別子を事前に割り当てることで達成される。これは、ある回路識別子を有するデータパケットを通すように、ＥＳＰを含まないネトワーク要素が準備されることを可能にし、その回路識別子はそれらの事前に割り当てられた識別子群の中にないものである。
【００２４】
以上本発明の特定の実施例が図示及び説明されてきたが、本発明の精神及び範囲から逸脱せずに、それらの実施例に変更がなされてもよいことは、当業者に理解されるであろう。
【００２５】
以下、本発明により教示される手段を例示的に列挙する。
【００２６】
（付記１）
ＳＯＮＥＴ接続ＬＡＮ用のブリッジであって、
第１及び第２のイーサーネットスイッチに関連する２つのイーサーネットスイッチポート；及び
ユーザポート及び２つのイーサーネットスイッチポートの間で、ＳＯＮＥＴ接続により実現される第１及び第２のデータ経路を有する第１のＬＡＮサービスポート；
を備え、前記イーサーネットスイッチポート間で伝送されるトラフィックは、前記イーサーネットスイッチポート及び前記第１のＬＡＮサービスポートの間でＳＯＮＥＴ接続により伝送される
ことを特徴とするブリッジ。
【００２７】
（付記２）
前記第１のイーサーネットスイッチが、前記第１のＬＡＮサービスポートと、前記第１及び第２のイーサーネットスイッチに接続された第２のＬＡＮサービスポートとの間でデータを伝送する
ことを特徴とする付記１記載のブリッジ。
【００２８】
（付記３）
第１のデータ経路の不具合がスパニングツリープロトコルを起動させ、前記第１のイーサーネットスイッチが、前記第１のＬＡＮサービスポート及び前記第２のＬＡＮサービスポート間でデータを伝送することを防ぎ、前記第２のイーサーネットスイッチが、前記第１のＬＡＮサービスポート及び前記第２のＬＡＮサービスポートの間のデータ伝送をイネーブルにする
ことを特徴とする付記２記載のブリッジ。
【００２９】
（付記４）
前記ＳＯＮＥＴ接続が、ＳＴＳ１プロトコルを使用する
ことを特徴とする付記３記載のブリッジ。
【００３０】
（付記５）
前記ＳＯＮＥＴ接続が、ＶＴプロトコルを使用する
ことを特徴とする付記３記載のブリッジ。
【００３１】
（付記６）
ブリッジとのＳＯＮＥＴ接続を有するＬＡＮを構築する方法であって、
少なくとも３ポートを有する第１のＬＡＮサービスポートを設け；
別個の第１及び第２のイーサーネットスイッチに関する２つのイーサーネットスイッチポートを設け；
ユーザポート及び２つのイーサーネットスイッチポートの間で双方向トラフィックを伝送するために、ＬＡＮサービスポートを、第１及び第２のＳＯＮＥＴ経路を介して２つのイーサーネットスイッチポートに及びユーザポートに接続し；
第１及び第２のＳＯＮＥＴ経路でイーサーネットスイッチポート間でトラフィックを伝送する；
ことを特徴とする方法。
【００３２】
（付記７）
前記第１のイーサーネットスイッチが、前記第１のＬＡＮサービスポートと、前記第１及び第２のイーサーネットスイッチに接続された第２のＬＡＮサービスポートとの間でデータを伝送する
ことを特徴とする付記６記載の方法。
【００３３】
（付記８）
第１のＳＯＮＥＴ経路の不具合がスパニングツリープロトコルを起動させ、前記第１のイーサーネットスイッチが、前記第１のＬＡＮサービスポート及び前記第２のＬＡＮサービスポート間でデータを伝送することを防ぎ、前記第２のイーサーネットスイッチが、前記第１のＬＡＮサービスポート及び前記第２のＬＡＮサービスポートの間のデータ伝送をイネーブルにする
ことを特徴とする付記７記載の方法。
【００３４】
（付記９）
前記ＳＯＮＥＴ接続が、ＳＴＳ１プロトコルを使用する
ことを特徴とする付記８記載の方法。
【００３５】
（付記１０）
前記ＳＯＮＥＴ接続が、ＶＴプロトコルを使用する
ことを特徴とする付記８記載の方法。
【図面の簡単な説明】
【００３６】
【図１】ＬＡＮを相互接続するＳＯＮＥＴの構成を示す図である。
【図２】本発明の一実施例による、ＬＡＮサービスポート（ＬＳＰ）及び２つのイーサーネット（登録商標）スイッチポート（ＥＳＰ）を相互接続するＬＡＮブリッジの構成を示す図である。
【図３Ａ】本発明の一実施例による、ディセーブルにされたイーサーネット（登録商標）スイッチを介する１つの冗長経路を備えたＬＡＮブリッジを示す図である。
【図３Ｂ】経路障害に起因して、イーサーネット（登録商標）スイッチを介する冗長経路が、スパニングツリープロトコルに従って動作可能になった後のＬＡＮブリッジを示す図である。
【符号の説明】
【００３７】
１０２  ＷＡＮ；  １０４，１０６  ＬＡＮ；  １０８，１１０  ＬＡＮ／ＷＡＮインターフェース；
１０  イーサーネットスイッチ；  ２０  ＥＳＰ；  ３０  ＬＳＰ；  ４０  ユーザ；
２００，２０５  イーサーネットスイッチ；  ２１０，２１２，２１４，２１６  ＥＳＰ；  ２２０，２２５  ＬＳＰ
【図１】
2005198299.tif 000003
【図２】
2005198299.tif 000004
【図３Ａ】
2005198299.tif 000005
【図３Ｂ】
2005198299.tif 000006